(57)【要約】【課題】ある寸法範囲の樽であればサイズの異なる樽であっても、番木をかませることなく樽を棚又は容器に固定させることができる樽受け具を提供する。【解決手段】樽受け具は、棚の水平梁、又は同様な容器に対して積み重ねることができる容器の水平梁に樽を置いた際に、樽を固定させる。この樽受け具は、水平梁上に取付けられると共に、樽の外周の３次元的な曲面に対して略接する平面部を有する。樽受け具が樽の３次元的な曲面に対して略接する平面部を有しているので、樽受け具が樽をぐらぐらさせることなく安定して支持する。またサイズの異なる樽であっても、ある寸法範囲の樽であれば、接触位置は僅かにずれるが、平面部内に納めることができる。このためサイズの異なる樽であっても、番木をかませることなく樽を棚又は容器に固定させることができる。【選択図】　　　図１
2004051134.tif 000002
【特許請求の範囲】
【請求項１】
棚の水平梁、又は同様な容器に対して積み重ねることができる容器の水平梁に樽を置いた際に、樽を固定させるための樽受け具であって、
前記樽受け具は、
水平梁上に取付けられると共に、
樽の外周の３次元的な曲面に対して略接する平面部を有することを特徴とする樽受け具。
【請求項２】
棚の水平梁、又は同様な容器に対して積み重ねることができる容器の水平梁に樽を置いた際に、樽を固定させるための樽受け具であって、
前記樽受け具は、
水平梁上に取付けられると共に、
樽の外周の３次元的な曲面に対して略接する棒状部を有することを特徴とする樽受け具。
【請求項３】
前記樽受け具は、樽を平面図で見た状態において、樽の長手方向に２分割且つ長手方向と直交する方向に２分割、合計４分割された樽の分割部分それぞれに配置されることを特徴とする請求項１又は２に記載の樽受け具。
【請求項４】
請求項１ないし３いずれかに記載の樽受け具が取付けられた棚又は容器。
【発明の詳細な説明】
【０００１】
【発明の属する技術分野】
この発明は、洋酒、焼酎等を貯蔵させる樽を、棚又は積み重ねできる容器に置く際、その位置の固定を可能とさせる樽受け具、該樽受け具が取付けられた棚又は容器に関する。
【０００２】
【従来の技術】
洋酒、焼酎等は熟成させるために樽に貯蔵される。樽にはチェリー樽だとかオーク樽だとかその発祥によって複数の種類があり、樽のサイズもその種類によって複数のものがある。洋酒、焼酎等が貯蔵された樽は、醸造工場等において棚に保管される。これらの棚は一般に垂直の柱間に多段式の水平梁を掛け渡して構成されている。
【０００３】
従来、サイズの異なる樽を棚に保管させる際、樽の複数のサイズに対応させるため以下のような作業をとらざるを得なかった。図１２に示すように、棚の水平梁１の上に樽２を載せる。水平梁１に樽２を載せただけでは樽２がぐらぐらしてその位置が決まらない。このため、番木３と呼ばれる楔状の木を水平梁１と樽２の間に差し込んで、樽の位置を固定していた。
【０００４】
【発明が解決しようとする課題】
しかし、番木３を差し込む作業は人手で行なわれるので、大変手間がかかる。この発明は、この問題を解決するためになされたもので、ある寸法範囲の樽であればサイズの異なる樽であっても、番木をかませることなく樽を棚又は容器（容器については後述する）に固定させることができる樽受け具、該樽受け具が取付けられた棚又は容器を提供することを目的とする。
【０００５】
【課題を解決するための手段】
以下、本発明について説明する。なお、本発明の理解を容易にするために添付図面の参照番号を括弧書きにて付記するが、それにより本発明が図示の形態に限定されるものでない。
【０００６】
上記課題を解決するために本発明は、棚の水平梁（１６）、又は同様な容器に対して積み重ねることができる容器（６）の水平梁（１３）に樽（７）を置いた際に、樽（７）を固定させるための樽受け具（１４）であって、前記樽受け具（１４）は、水平梁（１３，１６）上に取付けられると共に、樽（７）の外周の３次元的な曲面に対して略接する平面部（１４ａ）を有することを特徴とする。
【０００７】
この発明によれば、樽受け具が樽の３次元的な曲面に対して略接する平面部を有しているので、樽受け具が樽をぐらぐらさせることなく安定して支持する。またサイズの異なる樽であっても、ある寸法範囲の樽であれば、接触位置は僅かにずれるが、平面部内に納めることができる。このためサイズの異なる樽であっても、番木をかませることなく樽を棚又は容器に固定させることができる。
【０００８】
また本発明は、棚の水平梁（１６）、又は同様な容器に対して積み重ねることができる容器（６）の水平梁（１３）に樽（７）を置いた際に、樽（７）を固定させるための樽受け具（１４）であって、前記樽受け具（１４）は、水平梁（１３，１６）上に取付けられると共に、樽（７）の外周の３次元的な曲面に対して略接する棒状部を有することを特徴とする樽受け具により、上述した課題を解決した。
【０００９】
この発明によれば、樽受け具が３次元的な曲面に対して略接する棒状部を有しているので、樽受け具が樽をぐらぐらさせることなく安定して支持する。サイズの異なる樽であっても、ある寸法範囲の樽であれば、接触位置は僅かにずれるが、棒状部内に納めることができる。このため、サイズの異なる樽であっても、人手で番木をかませることなく樽を棚又は容器に固定させることができる。
【００１０】
樽受け具（１４）は、樽（７）を平面図で見た状態において、樽（７）の長手方向に２分割且つ長手方向と直交する方向に２分割、合計４分割された樽の分割部分それぞれに配置されるのが望ましい。
【００１１】
樽を４ヵ所の樽受け具で支持することで、樽がより安定して支持することができる。
【００１２】
本発明は、前記樽受け具（１４）が取付けられた棚又は容器（６）として構成してもよい。
【００１３】
【発明の実施の形態】
以下添付図面に基づいて本発明の一実施形態における樽受け具を説明する。図１及び図２は、複数の樽が貯蔵されている貯蔵棟５を示す。貯蔵棟５内には、同様な容器に対して積み重ねることができる複数の容器６…が積み重ねられている。これらの複数の容器６…それぞれには、一つのみの樽７が保管される。これらの容器６…はフォークリフト１５等によって複数段、例えば４段、５段等積み重ねられ、また作業スペースを空けて、水平面内における縦方向及び横方向に複数列並べられる。
【００１４】
図３及び図４は樽７が保管される容器を示す。図３は容器６を２段に積み重ねた状態を示し、図４は不使用時に容器を縦方向に入れ子式に重ねあわせた状態を示す。図中（Ａ）は側面図を示し、図中（Ｂ）は正面図を示す。容器６は鋼等の金属部材から構成され、長方形のほぼ四隅に配置した４本の並行なコラム状直立隅支柱８ａ，８ｂ，９ａ，９ｂを有する。容器６の後部に設けた２本の隅支柱９ａ，９ｂの間隔を前部に設けた隅支柱８ａ，８ｂより狭くし、それによって第４図に示されるように、一方の容器６の後部隅支柱９ａ，９ｂを他方の容器６の前部隅支柱８ａ，８ｂの間を通して他方の容器６に挿入でき、一方の容器６を他方の容器６に入れ子式に重ね入れることができるようにしている。
【００１５】
４本の隅支柱８ａ，８ｂ，９ａ，９ｂは底部枠部材１０に同一水平面内において剛的に連結される。底部枠部材１０は隅支柱８ａ，８ｂ，９ａ，９ｂが置かれる床面から上方に離間されていて、フォークリフトのフォークを底部枠部材１０と床面との間に挿入できるようになっている。この底部枠部材１０に後述する水平梁が掛け渡される。
【００１６】
容器６の前部の隅支柱８ａ，８ｂの上端部から後部の隅支柱９ａ，９ｂの上端部へ向けて、奥行き方向に平行に、上面を逆Ｖ字状の嵌合面に形成した一対の上部レール１１，１１を架設する。この上部レール１１，１１に対応するように、底部枠部材１０の下方に下面を逆Ｖ字状の嵌合面に形成した一対の下部レール１２，１２を設ける。
【００１７】
このような容器６は、フォークリフトで一つのみの樽７が搭載された後、所定の場所まで搬送される。貯蔵棟５内で樽７を保管する際には、図３に示すように、容器６の下部レール１２，１２と上部レール１１，１１とを嵌合させることにより、安定して複数段に積み重ねられる。不使用時においては、図４に示すように、入れ子状に積み重ねておくと、少ない空間で収納することができる。一般に樽７は基礎にボルト等で固定された棚に保管されることが多いが、このような容器６を使用することでその組立て・取り外しが困難な固定棚を使用する必要がなくなる。
【００１８】
図５及び図６は容器６及び容器６に搭載される樽７を示す。図５は正面図を示し、図６は図５のＶＩ−ＶＩ線断面図を示す。容器６の水平梁１３，１３には、水平梁１３，１３に樽７を置いた際に樽７を固定させるための樽受け具１４…が取付けられる。樽受け具１４…には、ある寸法範囲の樽７、例えば主に使われる４５０Ｌ〜５２０Ｌの範囲の樽７が載せられる。図中２点鎖線の一方（直径φａ）が例えば４５０Ｌの樽を示し、他方（直径φｂ）が例えば５２０Ｌの樽を示す。
【００１９】
図６に示される樽７を平面図で見た状態において、樽受け具１４…は、樽の長手方向に２分割且つ長手方向と直交する方向に２分割、合計４分割された樽の分割部分それぞれに配置される。樽７の外周面は略円筒形状をしていると共に、中央部分が一番膨らんで両端にいくほどに徐々に絞られていく３次元的な曲面形状をしている。各樽受け具１４…は樽のこの３次元的な曲面に対して略接する平面部１４ａ…を有する。
【００２０】
図７及び図８は樽受け具の詳細図を示す。図７は折り曲げ加工する前の樽受け具１４を示す。図８中（Ａ）は図６のＡ部に位置する樽受け具１４の平面図を示し、（Ｂ）は容器６の正面側からみた樽受け具１４の正面図を示し、（Ｃ）は側面図を示す。折り曲げ加工する前の樽受け具１４は平板状に形成され、矩形状の平面部１４ａと、平面部１４ａの両側に設けられた一対の垂直壁１４ｂ，１４ｂとを有する。垂直壁１４ｂ，１４ｂを中央の平面部１４ａに対して９０度折り曲げることで樽受け具１４が形成される。一対の垂直壁１４ｂ，１４ｂは左右対称な形状をしていて、折り曲げることで平面部１４ａが水平面に対して所定の角度、例えば３０°傾斜するようになっている。折り曲げ加工された平面部１４ａと垂直壁１４ｂの接合部分にはＲ、すなわち円弧部分がつけられている。
【００２１】
図５及び図６に示すように、曲げ加工された樽受け具１４は溶接、ボルト締め等の固定手段によって水平梁１３に取付けられる。樽受け具１４の水平梁１３への取付け位置及び取付け向きは、以下の方法によって決定される。まず、樽の３次元的な曲面に対して樽受け具１４の平面部１４ａが略接するような接触点をＣＡＤで見出す。この接触点では樽の３次元的な曲面の法線と平面部１４ａとが直交する。次に、接触点と樽受け具１４の平面部１４ａの向きを考慮して、ＣＡＤで樽受け具１４の水平梁への取付け位置及び取付け向きを割り出し、そこに樽受け具１４を取付ける。
【００２２】
図９はサイズの異なる２種類の樽７，７を樽受け具１４に載せた場合の模式図を示す。この図は樽７の中心線に対して直交する方向の断面図である。樽７，７の外周を示す２つの円の交点Ａでは、２つの円に同時に接する線は引けない。したがって受け具１４の平面部１４ａに接する点Ｂ，Ｃは２つの円で僅かにずれる。このようにサイズの異なる樽７，７の場合、接触位置は僅かにずれるが、ある寸法範囲の樽７，７であれば樽受け具１４の平面部１４ａ内に納めることができる。このためサイズの異なる樽７，７であっても、樽７，７を安定して支持することができる。
【００２３】
樽７の外周面が円筒形状をしていれば、図９に示されるような樽７の中心線と直交する断面のみを考えればよい。しかし上述のように、樽７の外周面は略円筒形状をしていると共に、中央部分が一番膨らんで両端にいくほどに徐々に絞られていく３次元的な曲面形状をしている。この３次元的な曲面形状も考慮する必要がある。
【００２４】
樽７の外周面の長手方向における曲線の曲率半径は、樽７の中心線と直交する断面における円の半径と比較して大きいので、接触角度が寝る（図３（Ａ）参照）。すなわち接線と水平面とのなす角度が小さくてすむ。したがって図６に示すように、樽受け具を図中破線の位置から水平面内で角度α°旋回させることで、必要な角度を得ることができる。具体的には樽受け具１４を旋回させることで、図１０に示すように点Ｄ及びＥで高さに差がでる。これにより、樽７の外周面の長手方向における曲線に略接することができる。
【００２５】
また樽７の長手方向の曲線の曲率半径は大きく、接触角度が寝るので、受け具１４の平面部１４ａのエッジでかまないように、平面部１４ａと垂直壁１４ｂの接合部分にはＲがつけられている。平面部１４ａのエッジが樽７をかむと、木と金属板との接触なので、樽７に傷ができ易くなる。
【００２６】
なお、樽７の長手方向の曲線の曲率半径は大きいので、樽を円筒形状とみなしてもよい。この場合、図６の破線で示すように受け具を旋回させないでも対応することができる。受け具１４の平面部１４ａのエッジ部分が樽７に接触しやすくなるが、平面部１４ａと垂直壁１４ｂの接合部分にＲをつけておけば、樽７に傷がつくのを防止することができる。
【００２７】
また受け具１４には、平面部１４ａを有するものの他に、樽の３次元的な曲面に接するパイプ、形鋼等の棒状部（図示せず）を有するものを使用してもよい。この場合傾けて取付けるのに多少手間がかかるが、サイズの異なる樽であっても、ある寸法範囲の樽であれば、接触位置を棒状部内に納めることができる。
【００２８】
図１１は上記平面部１４ａを有する樽受け具１４を棚に取付けた例を示す。図中（Ａ）は平面図を示し、（Ｂ）は側面図を示す。一般に棚は、基礎にボルト等で固定され、角パイプやアングル等からなる垂直の柱と、柱間に掛け渡された多段式の水平梁１６，１６とで構成される。この例でも、上述の容器６の水平梁１３，１３に樽受け具１４を取付けるのと同様に、ＣＡＤを用いて樽受け具１４の水平梁１６，１６への取付け位置及び取付け向きが割り出される。
【００２９】
従来の棚の水平梁１６，１６に樽７を載せた後、水平梁１６，１６と樽７との間に番木をかます方法では、樽７の荷重は主に水平梁に受けられる。番木を打ってはいるが、あくまで位置決めがその目的であり、番木で荷重を支えているわけではない。これに対して本実施形態の樽受け具１４は樽７の荷重を支えると共に、樽７の位置決めもする。樽受け具１４…にフォークリフト等で樽７を載せれば、樽７がぐらぐらすることなく、安定して支持される。また樽７と樽受け具１４の平面部１４ａは略接しているので、樽受け具１４が木の樽７に優しく接触できる。
【００３０】
なお、本発明は上記実施形態に限定されるものでなく、本発明の範囲を逸脱しない範囲で種々変更可能である。例えば樽受け具は樽に略接する平面部又は棒状部を有すれば、その形状は様々に変更可能である。
【００３１】
【発明の効果】
以上説明したように、本発明によれば、この発明によれば、樽受け具が樽の３次元的な曲面に対して略接する平面部を有しているので、樽受け具が樽をぐらぐらさせることなく安定して支持する。サイズの異なる樽であっても、ある寸法範囲の樽であれば、接触位置は僅かにずれるが、平面部内に納めることができる。このためサイズの異なる樽であっても、人手で番木をかませることなく樽を棚又は容器に固定させることができる。
【図面の簡単な説明】
【図１】複数の樽が貯蔵されている貯蔵棟を示す平面図。
【図２】上記図１の断面図。
【図３】２段に積み重ねた状態の容器を示す図（図中（Ａ）は側面図を示し、図中（Ｂ）は正面図を示す）。
【図４】縦方向に入れ子式に重ねあわせた状態の容器を示す図（図中（Ａ）は側面図を示し、図中（Ｂ）は正面図を示す）。
【図５】容器及び容器に搭載される樽を示す正面図。
【図６】図５のＶＩ−ＶＩ線断面図。
【図７】折り曲げ加工する前の樽受け具１４を示す平面図。
【図８】樽受け具の詳細図（図中（Ａ）は図６のＡ部に位置する樽受け具の平面図を示し、（Ｂ）は容器の正面側からみた樽受け具の正面図を示し、（Ｃ）は側面図を示す）。
【図９】サイズの異なる２種類の樽を樽受け具に載せた場合の模式図。
【図１０】旋回させた樽受け具を示す平面図。
【図１１】樽受け具を棚に取付けた例を示す図（図中（Ａ）は平面図を示し、（Ｂ）は側面図を示す）。
【図１２】従来の番木を用いて樽を棚に固定した例を示す（図中（Ａ）は平面図を示し、（Ｂ）は側面図を示す）。
【符号の説明】
６…容器
７…樽
１３，１６…水平梁
１４ａ…平面部
１４…樽受け具
【図１】
2004051134.tif 000003
【図２】
2004051134.tif 000004
【図３】
2004051134.tif 000005
【図４】
2004051134.tif 000006
【図５】
2004051134.tif 000007
【図６】
2004051134.tif 000008
【図７】
2004051134.tif 000009
【図８】
2004051134.tif 000010
【図９】
2004051134.tif 000011
【図１０】
2004051134.tif 000012
【図１１】
2004051134.tif 000013
【図１２】
2004051134.tif 000014